(57)【要約】【課題】無線通信デバイス内において異なる通信規格にて書き込んだ情報を他の通信規格側からアクセスできる無線通信デバイスを提供する。【解決手段】電子バッグタグ１は、ＨＦ帯域で外部と通信可能なＨＦ帯ＩＣ１１及びＨＦ帯アンテナ１２と、ＵＨＦ帯域で外部と通信可能なＵＨＦ帯ＩＣ１３及びＵＨＦ帯アンテナ１４と、ＨＦ帯ＩＣ１１及びＵＨＦ帯ＩＣ１３に接続され、ＨＦ帯ＩＣ１１及びＵＨＦ帯ＩＣ１３を制御する制御マイコン１５と、制御マイコン１５に接続されるメモリ１６とを備えている。電子バッグタグ１では、制御マイコン１５は、ＨＦ帯ＩＣ１１による外部との通信によりメモリ１６に書き込まれたデータのうち少なくともユーザメモリ領域内の一部がＵＨＦ帯ＩＣ１３から制御マイコン１５を介して相互アクセス可能となるように、ＨＦ帯ＩＣ１１及びＵＨＦ帯ＩＣ１３の少なくとも一方を制御する。【選択図】図２
2017215837.tif 000002
【特許請求の範囲】
【請求項１】
第１の周波数帯域で外部と通信可能な第１の通信機能部と、
前記第１の周波数帯域と異なる第２の周波数帯域で外部と通信可能な第２の通信機能部と、
前記第１及び第２の通信機能部に接続され、前記第１及び第２の通信機能部の一部もしくは全てを制御する制御マイコンと、
前記制御マイコンに接続されるメモリと、を備え、
前記制御マイコンは、前記第１の通信機能部による外部との通信により前記メモリに書き込まれたデータのうち少なくともユーザメモリ領域内の一部が前記第２の通信機能部から当該制御マイコンを介して相互アクセス可能となるように、前記第１及び第２の通信機能部の少なくとも一方を制御する、無線通信デバイス。
【請求項２】
前記制御マイコンは、前記第２の通信機能部による外部との通信により前記メモリに書き込まれたデータのうち少なくともユーザメモリ領域内の一部が前記第１の通信機能部から当該制御マイコンを介して相互アクセス可能となるように、前記第１及び第２の通信機能部の少なくとも一方を制御する、請求項１に記載の無線通信デバイス。
【請求項３】
前記第１及び第２の通信機能部は、外部端子を１つ以上有する個別の通信用ＩＣからそれぞれ構成される、請求項１又は２に記載の無線通信デバイス。
【請求項４】
前記第１及び第２の通信機能部は、外部端子を１つ以上有するデュアル通信用ＩＣから構成される、請求項１又は２に記載の無線通信デバイス。
【請求項５】
前記制御マイコンに接続され、前記メモリ内に格納されているデータを表示するディスプレイを更に備える、請求項１〜４の何れか一項に記載の無線通信デバイス。
【請求項６】
前記無線通信デバイスの表面には、当該デバイスに関連する関連情報が表示されており、前記第１及び第２の通信機能部の少なくとも一方から前記制御マイコンを介して相互アクセス可能なように当該関連情報が前記メモリに格納されている、請求項１〜５の何れか一項に記載の無線通信デバイス。
【請求項７】
前記メモリは、前記第１及び第２の通信機能部の少なくとも一方を構成するＩＣ内に設けられた内蔵メモリに含まれている、請求項１〜６の何れか一項に記載の無線通信デバイス。
【請求項８】
請求項１〜７の何れか一項に記載の無線通信デバイス又は前記無線通信デバイスが取り付けられた収容体を処理する方法であって、
前記第１の通信機能部による通信により前記メモリに予め個別情報が書き込まれた前記無線通信デバイスを準備する工程と、
前記第２の通信機能部による通信により前記制御マイコンを介して前記メモリに予め書き込まれた前記個別情報に相互アクセスし、当該アクセスした個別情報に基づいて前記無線通信デバイス又は前記無線通信デバイスが取り付けられた収容体に対して所定の処理を行う工程と、
を備えた処理方法。
【発明の詳細な説明】
【技術分野】
【０００１】
本発明は、無線通信デバイス、及び当該無線通信デバイスを用いた処理方法に関する。
【背景技術】
【０００２】
従来から航空会社ではスーツケース用のバッグタグとして紙タグを広く用いてきている。しかしながら、紙タグにおける皺や印字擦れ等の発生により、紙タグに記載された航空会社名や到着空港の名前等のバーコードの読み取りが上手くいかないことがある。結果として、その後の手荷物追跡や確実な配送処理のオペレーション効率・運用費に悪影響を与えてしまうことも発生している。そこで、一部の航空会社では、バッグタグとしてＲＦＩＤを用いた電子タグを使用するようになりつつある。特許文献１には、このようなスーツケースに取り付け可能な電子バッグタグが開示されている。
【先行技術文献】
【特許文献】
【０００３】
【特許文献１】特表２０１４−５１６１７５号公報
【発明の概要】
【発明が解決しようとする課題】
【０００４】
しかしながら、特許文献１に記載の電子バッグタグでは、チェックインカウンタにおいてＨＦ帯経由で追加される情報、例えば、スーツケースが高重量であるといった情報や、上級顧客のため到着空港でのスーツケースを優先して取り出すといった情報を、別の通信帯域であるＵＨＦ帯での読み取りにそのまま用いることが難しく、このような適用をしようとした場合、航空会社側のサーバ等で情報の紐づけを行う必要があった。
【０００５】
本発明は、上述した課題を解決するためのものであり、インフラ側のサーバ等に依存せずに電子バッグタグ等の無線通信デバイス内において異なる通信規格にて書き込んだ情報を他の通信規格側からアクセスできる無線通信デバイス、及び、当該無線通信デバイスを用いた処理方法を提供することを目的とする。
【課題を解決するための手段】
【０００６】
本発明は、一側面として、無線通信デバイスに関し、この無線通信デバイスは、第１の周波数帯域で外部と通信可能な第１の通信機能部と、第１の周波数帯域と異なる第２の周波数帯域で外部と通信可能な第２の通信機能部と、第１及び第２の通信機能部に接続され、第１及び第２の通信機能部の一部もしくは全てを制御する制御マイコンと、制御マイコンに接続されるメモリと、を備え、制御マイコンは、第１の通信機能部による外部との通信によりメモリに書き込まれたデータのうち少なくともユーザメモリ領域内の一部が第２の通信機能部から当該制御マイコンを介して相互アクセス可能となるように、第１及び第２の通信機能部の少なくとも一方を制御するようになっている。
【０００７】
この無線通信デバイスは、互いに異なる周波数帯域で外部と通信可能な第１及び第２の通信機能部と、これら通信機能部を制御する制御マイコンとを備え、この制御マイコンが、第１の通信機能部による外部との通信によりメモリに書き込まれたデータのうち少なくともユーザメモリ領域内の一部が第２の通信機能部から当該制御マイコンを介して相互アクセス可能となるように、第１及び第２の通信機能部の少なくとも一方を制御している。このような構成により、本発明に係る無線通信デバイスによれば、インフラ側のサーバ等に依存せずに無線通信デバイス内において異なる通信規格にて書き込んだ情報を、制御マイコンを介して、他の通信規格側からアクセスすることが可能となる。これにより、無線通信デバイスを用いたシステムの運用をより柔軟な形態とすることができる。
【０００８】
上記の無線通信デバイスでは、制御マイコンは、第２の通信機能部による外部との通信によりメモリに書き込まれたデータのうち少なくともユーザメモリ領域内の一部が第１の通信機能部から当該制御マイコンを介して相互アクセス可能となるように、第１及び第２の通信機能部の少なくとも一方を制御してもよい。この場合、第１の通信機能部により書き込まれた情報に対して第２の通信機能部がアクセスできることに加え、更に、第２の通信機能部により書き込まれた情報に対して第１の通信機能部がアクセスできるようになり、無線通信デバイスを含むシステムを様々な形態とすることが可能となる。
【０００９】
上記の無線通信デバイスでは、第１及び第２の通信機能部は、外部端子を１つ以上有する個別の通信用ＩＣからそれぞれ構成されてもよいし、外部端子を１つ以上有するデュアル通信用ＩＣから構成されてもよい。第１及び第２の通信機能部が個別の通信用ＩＣから構成される場合、外部端子を持たない通常ＩＣと異なり、ＵＨＦラベルの貼り替え等といった一方の通信ＩＣ側改ざんを試みた際に、マイコンを介した相互アクセス情報が不一致になる、回路接続が必要になるため単なる貼り替え等では再現できない等、媒体コストを抑えつつも一定の物理的堅牢性を担保することができる。また、多種多様な通信機能ＩＣからコストや用途に応じて第１及び第２の通信機能部を選定する自由度が柔軟になるといったことが可能となる。一方、第１及び第２の通信機能部がデュアル通信用ＩＣから構成される場合、一方の通信ＩＣ側の改ざんを試みた場合に相互共有メモリ記載内容が不一致となるため、さらに容易に改ざんを見抜くことができる等、媒体コストを抑えつつも物理的堅牢性を担保できるといったことが可能となる。
【００１０】
上記の無線通信デバイスは、制御マイコンに接続され、メモリ内に格納されているデータを表示するディスプレイを更に備えていてもよい。この場合、紙タグにおける皺や印紙擦れ等の発生を防止できるので、ディスプレイに表示されたデータをより確実に読み取ることができる。
【００１１】
上記の無線通信デバイスでは、無線通信デバイスの表面には、当該デバイスに関連する関連情報が表示又は印字されており、第１及び第２の通信機能部の少なくとも一方から制御マイコンを介して相互アクセス可能なように当該関連情報がメモリに格納されていてもよい。この場合、デバイスの関連情報がデバイスの表面に表示又は印字されているため、無線での読み取り装置を備えていないような場所（例えば空港）でも無線通信デバイスの関連情報を取得することができ、また、相互アクセス可能な状態で当該関連情報がメモリに格納されているため、無線での読み取り装置を備えている場所では、無線通信デバイスの関連情報について無線通信を介して容易に取得することができ、これにより、様々な場所での使用に無線通信デバイスを適合させることが可能となる。
【００１２】
上記の無線通信デバイスでは、メモリは、第１及び第２の通信機能部の少なくとも一方を構成するＩＣ内に設けられた内蔵メモリに含まれていてもよい。この場合、別途、外付けメモリを用意する必要がなくなるため、若しくは外付けメモリの容量を使用しなくてもよくなるため、無線通信デバイスの内部構成を簡素化することができる。
【００１３】
また、本発明は、別の側面として、上記何れかの無線通信デバイス又は当該無線通信デバイスが取り付けられた収容体を処理する方法に関し、当該処理方法は、第１の通信機能部による通信によりメモリに予め個別情報が書き込まれた無線通信デバイスを準備する工程と、第２の通信機能部による通信により制御マイコンを介してメモリに予め書き込まれた個別情報に相互アクセスし、当該アクセスした個別情報に基づいて無線通信デバイス又は無線通信デバイスが取り付けられた収容体に対して所定の処理を行う工程と、を備えている。このような処理方法によれば、第１の通信機能部により書き込まれた個別情報を第２の通信機能部による通信システムでの処理に、この点に関してインフラ側のサーバ等を用いずに適用することができるため、簡易なシステムとすることが可能となる。
【発明の効果】
【００１４】
本発明によれば、無線通信デバイス内において異なる通信規格にて書き込んだ情報を他の通信規格側からアクセスできるため、より柔軟なシステム運用を行うことができる無線通信デバイス、及び、当該無線通信デバイスを用いた処理方法を提供することができる。
【図面の簡単な説明】
【００１５】
【図１】本発明の一実施形態に係る電子バッグタグを示す斜視図である。
【図２】図１に示す電子バッグタグの構成を示すブロック図である。
【図３】図１に示す電子バッグタグを用いた行先の仕分け方法を示すフローチャートである。
【発明を実施するための形態】
【００１６】
以下、本発明に係る一実施形態について図面を参照しながら具体的に説明する。便宜上、実質的に同一の要素には同一の符号を付し、その説明を省略する場合がある。なお、本発明は、任意の物体を収容可能な収容体に取り付けられる無線通信デバイスに広く適用可能である。以下の説明では、空港などの手荷物搬送システムで電子バッグタグとして用いられる無線通信デバイスがスーツケースに取り付けられた（内蔵含む）場合の一例について説明するが、これに限定されない。
【００１７】
図１は、本発明の一実施形態に係る電子バッグタグを示す斜視図である。電子バッグタグ１（無線通信デバイス）は、スーツケース等の航空手荷物に取り付けられるタグであり、個体識別情報（ＬＰＮ、ＧＵＩＤ、ＴＩＤやＵＩＤ等）、旅程に関する情報（航空会社名、便名、経由地、最終目的地、ＰＮＲ、タグナンバー等）等の各種情報を内部メモリに格納しており、その一部である個体識別情報をタグ表面にバーコード、ＱＲコード（登録商標）及び英数字等で印字しているものである。電子バッグタグ１は、例えば全体として所定の厚みを有するカードに近い形状を呈しており、その内部に後述する各種の通信用ＩＣやメモリ等を配置し、合成樹脂によりこれらを内部に封止して一体化したものである。なお、タグ表面に印字されている情報は、従来の紙製のバッグタグに印字されていた内容と略同様である。すなわち、ハンドスキャナ、バーコードスキャナ、自動荷物スキャナなどの装置によって読取可能な一次元バーコードや二次元コードとなっている。また、図１では、ディスプレイを備えない電子バッグタグ１の例を示しているが、ディスプレイを備える電子バッグタグ１でもよく、その場合には、これら印字されている情報がディスプレイ上に表示される。バーコード表示のみをディスプレイで可変制御する場合は、ドットマトリクス型だけでなく、ＩＴＦ等、指定の１次元バーコードパターンを表示することに特化したセグメント型ディスプレイを採用しても良い。
【００１８】
図２は、図１に示す電子バッグタグの構成を示すブロック図である。電子バッグタグ１は、図２に示すように、その構成として、ＨＦ帯ＩＣ１１、ＨＦ帯アンテナ１２、ＵＨＦ帯ＩＣ１３，ＵＨＦ帯アンテナ１４、制御マイコン（ＭＣＵ）１５、及び、メモリ１６を備えている。電子バッグタグ１は、更に、ディスプレイ１７及びセンサ１８を備えていてもよい。ディスプレイ１７は、例えば、電気泳動方式や強誘電液晶、コレステリック液晶、エレクトロクロミック液晶等の電子ペーパーによって構成され得る。センサ１８は、例えば、温湿度センサ、加速度センサ、又は、衝撃センサ等である。
【００１９】
ＨＦ帯ＩＣ１１（第１の通信機能部）は、１３．５６ＭＨｚのＨＦ周波数帯域（第１の周波数帯域）を用いて近接距離の通信を行うための無線通信用ＩＣであり、ＨＦ帯アンテナ１２を介して、外部のリーダライタ端末との間で無線通信を行う。ＨＦ帯ＩＣ１１は、例えばＩ２Ｃ搭載のＨＦ  ＲＦＩＣであり、Ｉ２Ｃ（Ｉｎｔｅｒ−ｉｎｔｅｇｒａｔｅｄ  Ｃｉｒｃｕｉｔ）といったバスを介して制御マイコン１５に接続される。データ量、低消費電力及び最適な転送速度を考慮すると、ＨＦ帯ＩＣ１１と制御マイコン１５とを接続する接続バスはＩ２Ｃが好ましいが、これに限定される訳ではなく、ＳＰＩ（Ｓｅｒｉａｌ  Ｐａｒａｌｌｅｌ  Ｉｎｔｅｒｆａｃｅ）やＵＡＲＴ（Ｕｎｉｖｅｒｓａｌ  Ａｓｙｎｃｈｒｏｎｏｕｓ  Ｒｅｃｅｉｖｅｒ  Ｔｒａｓｍｉｔｔｅｒ）等のバスを用いて接続してもよい。ＨＦ帯ＩＣ１１は、ＨＦ帯アンテナ１２を介して外部のリーダライタ端末から取得したデータを、制御マイコン１５を介して、メモリ１６のユーザメモリ領域若しくはＨＦ帯ＩＣ１１内のメモリ領域に格納する。具体的には、制御マイコン１５のマイコンファームウェアに書き込んであるライブラリ／アルゴリズムに基づき、上記データをメモリ１６等に書き込む。このように格納される情報には、到着空港名、経由空港名、フライト日、エアラインコード、フライトナンバー、スーツケース重量、顧客優先度レベル情報、等の可変情報が含まれる。
【００２０】
このような構成を備えたＨＦ帯ＩＣ１１及びＨＦ帯アンテナ１２により、電子バッグタグ１は、ＩＳＯ／ＩＥＣ１４４４３、ＩＳＯ／ＩＥＣ１５６９３、ＩＳＯ／ＩＥＣ１８０９２、ＦｅｌｉＣａ（登録商標）、ＮＦＣ（Ｎｅａｒ  Ｆｉｅｌｄ  Ｃｏｍｍｕｎｉｃａｔｉｏｎ）等の通信規格に対応したリーダライタ端末、ＮＦＣスマートフォン等と通信可能となっている。
【００２１】
ＵＨＦ帯ＩＣ１３（第２の通信機能部）は、例えば８６０ＭＨｚから９６０ＭＨｚのＵＨＦ周波数帯域（第２の周波数帯域）を用いて通信を行うための無線通信用ＩＣであり、ＵＨＦ帯アンテナ１４を介して、例えば、ＵＨＦ帯域の通信に対応したリーダライタを備えた手荷物自動預け機、手荷物搬送システムや空港職員が携帯するハンディリーダライタ等との間で無線通信を行う。ＵＨＦ帯ＩＣ１３は、例えばＩ２Ｃ搭載のＵＨＦ  ＲＦＩＣであり、ＨＦ帯ＩＣ１１と同様に、Ｉ２Ｃ等のバスを介して制御マイコン１５に接続される。ＵＨＦ帯ＩＣ１３は、外部の手荷物搬送システムからの呼出しに応じて、ＨＦ帯ＩＣ１１によってメモリ１６のユーザメモリ領域若しくはＨＦ帯域ＩＣ内蔵メモリ領域に書き込まれた情報（例えば上記の可変情報）に対して制御マイコン１５を介してアクセスし、アクセスにより取得された情報を手荷物搬送システムへ出力する。この際、予めメモリ１６のユーザメモリ領域に格納されている乗客の名前情報や電子バッグタグの識別コード等の不変情報も共に手荷物搬送システムへ出力してもよい。なお、ＵＨＦ帯ＩＣ１３は、ＵＨＦ帯アンテナ１４を介して外部のリーダライタ端末から取得したデータを、制御マイコン１５を介して、メモリ１６のユーザメモリ領域若しくはＵＨＦ帯ＩＣ１３内のメモリ領域に同期もしくは指定情報のみ格納してもよい。
【００２２】
このように、ＵＨＦ帯ＩＣ１３及びＵＨＦ帯アンテナ１４により、電子バッグタグ１では、ＵＨＦ帯域の通信に対応したリーダライタを備えた手荷物搬送システムとの間で、ＵＨＦ帯ＩＣ１３内のメモリ領域、もしくはメモリ１６等に格納されたデータの読み取りが行われる。ＵＨＦ帯ＩＣ１３内のメモリ領域に情報が格納されていればマイコンを介したメモリ１６へのアクセスよりも、一層短時間で情報取得が可能となる。
【００２３】
制御マイコン１５は、電子バッグタグ１全体の制御を行うマイコンである。制御マイコン１５は、図２に示されるように、ＨＦ帯ＩＣ１１、ＨＦ帯アンテナ１２、ＵＨＦ帯ＩＣ１３、ＵＨＦ帯アンテナ１４と接続されるとともに、メモリ１６に接続される。本実施形態における制御マイコン１５は、例えばＭＣＵ（Ｍｉｃｒｏ  Ｃｏｎｔｒｏｌｌｅｒ  Ｕｎｉｔ）によって構成されており、前述したように、有線Ｉ２Ｃインターフェースや、シリアルインターフェースＳＰＩ、ＵＡＲＴ等によって、ＨＦ帯ＩＣ１１、ＨＦ帯アンテナ１２、ＵＨＦ帯ＩＣ１３、ＵＨＦ帯アンテナ１４、及び、メモリ１６と電気的に接続される。電子バッグタグ１がディスプレイ１７やセンサ１８を備えている場合には、制御マイコン１５は、同様に、有線Ｉ２Ｃインターフェース等により、ディスプレイ１７やセンサ１８に電気的に接続される。なお、メモリ１６は、ＥＥＰＲＯＭ又はＦｅＲＡＭ等から構成することができる。
【００２４】
制御マイコン１５は、メモリ１６、ＨＦ帯ＩＣ１１内のメモリ領域、ＵＨＦ帯ＩＣ１３内のメモリ領域等に格納された各種情報の書き換えを行い、ディスプレイ１７を備えている場合には、ディスプレイ１７の表示内容の書き換えのための制御を行う。なお、ディスプレイ１７に表示される内容は、従来の紙製のバッグタグに印刷されていた内容と同様、もしくはエアラインや空港システムに対応した一部可変の内容である。電子バッグタグ１では、ＮＦＣに対応したスマートフォン等のリーダライタ端末によってＨＦ帯ＩＣ１１及び制御マイコン１５に給電が行われる。これによって、制御マイコン１５は、メモリ１６、ＨＦ帯ＩＣ１１内のメモリ領域、ＵＨＦ帯ＩＣ１３内のメモリ領域等に格納された各種情報を、ＨＦ帯アンテナ１２で受信された新たな情報に更新することができる。また、制御マイコン１５は、更新された情報に基づいて、ディスプレイ１７の表示内容の書き換えを行うことができる。すなわち、ＨＦ帯アンテナ１２で受信された新たな情報の中にディスプレイ１７に表示する情報が含まれている場合には、制御マイコン１５はディスプレイ１７の表示画像の書き換えを行う。また、受信された情報に基づいて制御マイコン１５内のファームウェアによってディスプレイ１７に表示する情報が生成された場合にも、制御マイコン１５はディスプレイ１７の表示画像の書き換えを行う。
【００２５】
また、制御マイコン１５は、メモリ１６、ＨＦ帯ＩＣ１１内のメモリ領域、ＵＨＦ帯ＩＣ１３内のメモリ領域等に格納された各種情報のうちの少なくとも一部を含むデータをＵＨＦ帯アンテナ１４から手荷物運送システムに送信するための制御を行うこともできる。例えば、手荷物自動預け機、手荷物運送システムや空港職員が携帯するリーダライタによってＵＨＦ帯ＩＣ１３及び制御マイコン１５に給電が行われる。これによって、制御マイコン１５は、ＨＦ帯ＩＣ１１の通信によりメモリ１６等に格納されたデータ等をＵＨＦ帯アンテナ１４から手荷物運送システムに送信する制御を行う。手荷物運送システムに対して送信されるデータは、例えば、タグナンバー等である。給電時間や読み取り時間が長く取れる場合には、航空会社名、便名、経由地等の情報量を任意に選択して送信しても良い。なお、本実施形態では、ＵＨＦ帯アンテナ１４で誘起された電圧が電源回路等によって整流されて制御マイコン１５に給電されてもよい。また、ＵＨＦ帯ＩＣ１３がリーダライタからの給電をもとにマイコン１５を介さずに単独通信しても良い。
【００２６】
ここで、手荷物運送システムにおいて、上述した電子バッグタグ１を用いたスーツケースの行先の仕分け方法（処理方法）について、図３のフローチャートを参照して説明する。図３は、図１に示す電子バッグタグを用いた行先の仕分け方法を示すフローチャートである。図３に示すように、例えば、空港のチェックインの際（若しくは家や移動中等の事前）に、電子バッグタグ１に対して、ＮＦＣスマートフォンやチェックインカウンタにおけるＨＦのリーダライタ端末から、電子バッグタグ１が取り付けられたスーツケースの重量情報、搭乗者情報及び旅程情報等を、ＵＨＦよりも伝送速度が速く且つ起動電力が取れて短時間での書き込みが可能なＨＦ帯ＩＣ１１及びＨＦ帯アンテナ１２を介して、電子バッグタグ１のメモリ１６又はＨＦ帯ＩＣ１１内のメモリ領域に書き込む。この際、マイコン１５を介してＵＨＦ帯ＩＣ１３内の指定メモリ領域内にＨＦ帯ＩＣ１１内に書き込まれた情報の一部が同期される（ステップＳ１）。
【００２７】
次に、ＨＦ帯ＩＣ１１等による無線通信によりメモリ１６又はＨＦ帯ＩＣ１１、ＵＨＦ帯ＩＣ１３のいずれか全ての内蔵メモリ領域に予め書き込まれた電子バッグタグ１が取り付けられたスーツケースを準備する（ステップＳ２）。そして、ＵＨＦ帯域の通信に対応したリーダライタを備えた手荷物自動預け機もしくは手荷物搬送システムに、電子バッグタグ１が取り付けられたスーツケースを通す。この際、手荷物自動預け機もしくは手荷物搬送システムは、ＵＨＦ帯ＩＣ１３等による通信により更新されてメモリ１６又はＨＦ帯ＩＣ１１もしくはＵＨＦ帯ＩＣ１３のメモリ領域に格納されている情報を、ＵＨＦ帯域経由で読み出し（相互アクセスし）、読み出した個別情報に基づいて、電子バッグタグ１が取り付けられたスーツケースの行き先の仕分けや積載や積み降ろし優先度判定等、その後の各種の処理を自動的に行う。このような処理方法により、人手を介した仕分け作業やサーバ等への過負荷を用いた情報の紐づけを行う運用等を行うことなく、仕分け等の処理を簡素化して行うことができる。相互アクセス機能等を用いることで、手荷物自動預け機もしくは手荷物搬送システムを通過する際、ＵＨＦ帯ＩＣ１３の通信をリードのみとし、情報更新を必ずしも実施する必要は無くシステム側に依存する。
【００２８】
以上、上述した電子バッグタグ１によれば、互いに異なる周波数帯域で外部と通信可能なＩＣ１１，１３と、これらＩＣ１１，１３を制御する制御マイコン１５とを備えており、ＨＦ帯ＩＣ１１及びＨＦ帯アンテナ１２による外部との通信によりメモリ１６等に書き込まれたデータのうち少なくともユーザメモリ領域内の一部がＵＨＦ帯ＩＣ１３及びＵＨＦ帯アンテナ１４から当該制御マイコン１５を介して相互アクセス可能となるように制御マイコン１５が制御している。このような構成により、電子バッグタグ１によれば、インフラ側のサーバ等に依存せずに電子バッグタグ１内において異なる通信規格にて書き込んだ情報を、制御マイコン１５を介して、他の通信規格側からアクセスすることが可能となる。これにより、電子バッグタグ１を用いたシステムの運用をより柔軟な形態とすることができる。
【００２９】
また、上記電子バッグタグ１では、異なる通信機能部として、外部端子を１つ以上有する個別の通信用ＩＣ１１，１３からそれぞれを構成するようにしている。このため、外部端子をもたない通常ＩＣと異なり、ＵＨＦラベルの貼り替え等といった一方の通信ＩＣ側改ざんを試みた際に、マイコンを介した相互アクセス情報が不一致になる、回路接続が必要になるため単なる貼り替え等では再現できない等、媒体コストを抑えつつも一定の物理的堅牢性を担保することができる。また、多種多様な通信機能ＩＣからコストや用途に応じて第１及び第２の通信機能部を選定する自由度が柔軟になる、といったことが可能となる。
【００３０】
また、上記電子バッグタグ１は、制御マイコン１５に接続され、メモリ１６等内に格納されているデータを表示するディスプレイ１７を更に備える構成としてもよい。この場合には、紙タグにおける皺や印紙擦れ等の発生を防止できるので、ディスプレイ１７に表示されたデータをより確実に読み取ることができる。また、この場合は、都度可変情報を表示することが可能となるのでエアライン・空港側システムへの負荷を下げることが出来、また媒体も繰り返し使用が可能となる。
【００３１】
また、上記電子バッグタグ１では、電子バッグタグ１の表面に当該タグに関連する関連情報が表示又は印字されており、異なる通信機能部であるＩＣ１１，１３の少なくとも一方から制御マイコン１５を介して相互アクセス可能なように当該関連情報がメモリ１６等に格納されていてもよい。この場合、電子バッグタグ１の関連情報がタグの表面に表示又は印字されているため、無線での読み取り装置を備えていないような場所（例えば島諸島の人員や設備を十分に配備できない空港環境等）でも電子バッグタグ１の関連情報を取得することができ、また、相互アクセス可能な状態で当該関連情報がメモリに格納されているため、無線での読み取り装置を備えている場所では、電子バッグタグ１の関連情報を無線通信を介して容易に取得することができ、これにより、様々な場所での使用に電子バッグタグ１を適合させることが可能となる。
【００３２】
また、上記電子バッグタグ１では、読み取りを行った情報を格納するメモリとして、異なる通信機能部であるＩＣ１１，１３の少なくとも一方を構成するＩＣ内に設けられた内蔵メモリを用いるようにしてもよい。この場合、別途、外付けメモリを用意する必要がなくなるため、若しくは外付けメモリの容量を使用しなくてもよくなるため、無線通信デバイスの内部構成を簡素化することができる。
【００３３】
以上、本発明の一実施形態について説明したが、本発明は、上記実施形態に限られない。例えば、上記の電子バッグタグ１では、通信規格が互いに異なるＨＦ帯ＩＣ１１及びＵＨＦ帯ＩＣ１３を個別の通信用ＩＣから構成する例について説明したが、ＨＦ帯ＩＣ１１の通信機能とＵＨＦ帯ＩＣ１３の通信機能との両方を有する１チップからなるデュアルタイプの通信用ＩＣを用いるようにしてもよい。このような場合でも、デュアルタイプの通信用ＩＣを用いて上記と同様の処理を行うことが可能となり、例えばＩＣ内蔵のメモリ領域に格納された情報の一部に対して制御マイコン１５を介して相互アクセスできるようにしてもよい。また、上記の実施形態では、ＨＦ帯ＩＣ１１を介してメモリ１６等に書き込みを行った情報を、制御マイコン１５を介して、ＵＨＦ帯ＩＣ１３からアクセスする例を示したが、ＵＨＦのリーダライタを準備できる環境にある場合には、逆に、ＵＨＦ帯ＩＣ１３を介してメモリ１６等に書き込みを行った情報を、制御マイコン１５を介して、ＨＦ帯ＩＣ１１からアクセスできるようにしてもよい。
【００３４】
また、上記の電子バッグタグ１では、異なる無線通信規格である第１及び第２の通信規格（帯域）としてＨＦ帯域とＵＨＦ帯域とを用いたが、本発明に係る無線通信デバイスはこれに限定されるものではなく、例えば、ＨＦ帯域に代えて、２．４ＧＨｚのマイクロ波周波数帯域を用いるようにしてもよい。この場合、無線通信デバイスは、２．４ＧＨｚ帯で、Ｂｌｕｅｔｏｏｔｈ（登録商標）、Ｂｌｕｅｔｏｏｔｈ  ＬＥ（登録商標）、ＡＮＴ（登録商標）通信、又は、無線ＬＡＮ（Ｗｉ−Ｆｉを含む）による通信を用いて、外部のリーダライタと無線通信を行い、データの書き換えを行うことができる。なお、無線通信デバイスにおいて、ＨＦ帯ＩＣ１１、ＵＨＦ帯ＩＣ１３等に加えて、更に上述したマイクロ波周波数帯域を用いて、異なる３種類の無線通信規格に対応するようにしてもよい。
【００３５】
また、上記の実施形態では、スーツケースといった収容体に取り付けられる電子バッグタグ１を例として本発明に係る無線通信デバイスを説明したが、本発明はこれに限定されない。例えば、本発明に係る無線通信デバイスを取り付ける（内蔵含む）ことができる収容体としては、物流向けの輸送箱（折畳コンテナ含む）、工場等の工程管理に用いられるケースやパレット、鉄道輸送や宅配等に用いられる各種サイズのコンテナ、社内便や機密文書処理等に用いられるリユースを前提とした往復書簡用ケースなど各種のものを用いることができ、本発明に係る無線通信デバイスを適用して、通信規格の異なる２つ以上の通信機能部からメモリ（内蔵メモリ領域含む）に格納された各情報に相互アクセスできるようにしてもよい。
【符号の説明】
【００３６】
１…電子バッグタグ（無線通信デイバス）、１１…ＨＦ帯ＩＣ（第１の通信機能部）、１２…ＨＦ帯アンテナ、１３…ＵＨＦ帯ＩＣ（第２の通信機能部）、１４…ＵＨＦ帯アンテナ、１５…制御マイコン、１６…メモリ、１７…ディスプレイ、１８…センサ。
【図１】
2017215837.tif 000003
【図２】
2017215837.tif 000004
【図３】
2017215837.tif 000005